(57)【要約】【課題】  複数のＣＤを所定間隔で縦向きに保持して収納することができ、収納された任意のＣＤを片手で容易に取り出したり収納したりすことができる車載用に好適なＣＤラックを提供する。【解決手段】  ラック本体１の底板部１Ａ側のゴム板部材２の任意の挟持溝２ＡにＣＤの下縁部を押し込むと共に、この挟持溝２Ａに対応した背板部１Ｂ側のゴム板部材３の挟持溝３ＡにＣＤの後縁部を押し込む。すると、ＣＤはその下縁部が挟持溝２Ａに弾性的に挟持されると共に、その後縁部が挟持溝３Ａに弾性的に挟持され、こうして任意のＣＤがＣＤラックに縦向きに保持されて収納される。また、ＣＤの上側から前側にわたる周縁部を摘まんでＣＤをラック本体１から引き出すと、任意のＣＤがＣＤラックから取り出される。このようなＣＤの収納作業および取出し作業は、片手で容易に行われる。【選択図】  図１
2005046505.tif 000002
【特許請求の範囲】
【請求項１】
複数のＣＤを所定間隔で縦向きに保持可能なラックであって、側面視Ｌ字状に屈曲して連続する底板部と背板部とが正面視の少なくとも左右の一端部に配置された側板部により連結されてなるラック本体を備え、このラック本体の底板部の上面および背板部の前面には、各ＣＤの下側および後側の周縁部が押し込まれることによりその周縁部を弾性的に挟持可能な複数の挟持溝が所定間隔で設けられていることを特徴とするＣＤラック。
【請求項２】
前記挟持溝は、前記底板部の上面および背板部の前面に固定されたゴム板部材に形成された溝により構成されていることを特徴とする請求項１に記載のＣＤラック。
【請求項３】
前記挟持溝は、前記底板部の上面および背板部の前面に固定された各ゴムブロックに形成された溝により構成されていることを特徴とする請求項１に記載のＣＤラック。
【請求項４】
前記挟持溝は、前記底板部の上面および背板部の前面に形成された溝の内面に弾性部材を固定して構成されていることを特徴とする請求項１に記載のＣＤラック。
【発明の詳細な説明】
【技術分野】
【０００１】
本発明は、複数のＣＤ（compact disk）を所定間隔で縦向きに保持して収納するＣＤラックに関し、詳しくは、自動車のインストルメントパネル上などに設置するのに好適なＣＤラックに関するものである。
【背景技術】
【０００２】
従来、ＣＤ用のラックとして、シングルＣＤとアルバムＣＤとを収納可能としたＣＤラック（例えば特許文献１参照）や、２枚組のＣＤを収納可能としたＣＤラック（例えば特許文献２参照）が知られている。
【特許文献１】特開平１１−１６９２４５号公報
【特許文献２】特開平０８−０７０９４３号
【発明の開示】
【発明が解決しようとする課題】
【０００３】
ところで、特許文献１あるいは特許文献２に記載の従来のＣＤラックは、いずれもＣＤをケースごと収納するものである。このため、任意のＣＤを取り出す際には、まず、そのＣＤのケースをＣＤラックから取り出し、つぎに、ケースを開いてＣＤをケースから取り出すという手順を要する。しかしながら、このような手順でＣＤを取リ出す作業は、通常、両手を使用しないと難しく、これを片手で行うことは困難である。
【０００４】
従って、前述した従来のＣＤラックは、車載用として自動車のインストルメントパネル上などに設置した場合、車両の停止中など、両手が使用できる状況でしかＣＤの取り出しや収納ができず、車両の運転中にはＣＤの取り出しや収納ができないという問題がある。
【０００５】
そこで、本発明は、複数のＣＤを所定間隔で縦向きに保持して収納することができ、保持された任意のＣＤを片手で容易に取り出したり収納したりすことができる車載用に好適なＣＤラックを提供することを課題とする。
【課題を解決するための手段】
【０００６】
本発明に係るＣＤラックは、複数のＣＤを所定間隔で縦向きに保持可能なラックであって、側面視Ｌ字状に屈曲して連続する底板部と背板部とが正面視の少なくとも左右の一端部に配置された側板部により連結されてなるラック本体を備え、このラック本体の底板部の上面および背板部の前面には、各ＣＤの下側および後側の周縁部が押し込まれることによりその周縁部を弾性的に挟持可能な複数の挟持溝が所定間隔で設けられていることを特徴とする。
【０００７】
本発明に係るＣＤラックは、例えば車載用として自動車のインストルメントパネル上に底板部が両面接着テープなどにより固定されて使用される。このような使用状況において、本発明に係るＣＤラックでは、ラック本体の底板部の上面および背板部の前面に設けられた挟持溝にＣＤの下側および後側の周縁部を押し込むことにより、ＣＤの下側および後側の周縁部が挟持溝に弾性的に挟持され、こうして複数のＣＤが所定間隔で縦向きに保持されて収納される。また、任意のＣＤの上側から前側にわたる周縁部を摘まんでＣＤをラック本体から引き出すことにより、ＣＤの下側および後側の周縁部が挟持溝から引き出されて任意のＣＤが取り出される。そして、このようなＣＤの収納作業および取出し作業は、片手で容易に行われる。
【０００８】
本発明のＣＤラックにおいて、前記挟持溝は、前記底板部の上面および背板部の前面に固定されたゴム板部材に形成された溝、または独立した各ゴムブロックに形成された溝により構成することができる。また、前記底板部の上面および背板部の前面に形成された溝の内面に弾性部材を固定して構成することができる。
【０００９】
前記挟持溝の断面形状は、ＣＤの周縁部を挟持できる限り、Ｕ字形やＶ字形など適宜の断面形状とすることができる。
【発明の効果】
【００１０】
本発明に係るＣＤラックによれば、ＣＤの収納作業および取出し作業を片手で容易に行うことができ、車載用に好適である。
【発明を実施するための最良の形態】
【００１１】
以下、図面を参照して本発明に係るＣＤラックの実施形態を説明する。参照する図面において、図１は一実施形態に係るＣＤラックの構造を示す斜視図、図２は図１に示したＣＤラックの正面図である。
【００１２】
一実施形態に係るＣＤラックは、図１に示すように、複数のＣＤを所定間隔で縦向きに保持可能なラックであって、例えば合成樹脂により一体成形されたラック本体１を備えている。このラック本体１は、底板部１Ａと背板部１Ｂとが側面視Ｌ字状に屈曲して連続しており、正面視において例えば左側に位置する側板部１Ｃによってこれらの底板部１Ａと背板部１Ｂとが一体に連結されている。
【００１３】
ラック本体１の底板部１Ａの上面には、その前縁部に沿って横長のゴム板部材２が接着されている。このゴム板部材２の上面には、前後方向に延びる複数の挟持溝２Ａが例えば１５ｍｍ程度の所定のピッチ間隔で形成されている。各挟持溝２Ａの断面形状は、ＣＤの下縁部を弾性的に挟持可能なＶ字形とされている。
【００１４】
同様に、ラック本体１の背板部１Ｂの前面には、その上縁部に沿って横長のゴム板部材３が接着されている。このゴム板部材３の前面には、上下方向に延びる複数の挟持溝３Ａが前記挟持溝２Ａのピッチ間隔と同じピッチ間隔で形成されている。各挟持溝３Ａの断面形状は、前記挟持溝２Ａと同様のＶ字形とされている。
【００１５】
そして、ゴム板部材３側の各挟持溝３Ａは、ゴム板部材２側の各挟持溝２Ａに対し横方向に位置を合せて配列されており、対応した位置関係にある１組の挟持溝２Ａと挟持溝３ＡとによってＣＤが１枚づつ縦向きに保持されるようになっている。
【００１６】
以上のように構成された一実施形態のＣＤラックは、例えば自動車のインストルメントパネル上に底板部１Ａが両面接着テープなどにより固定されて使用される。
【００１７】
ここで、一実施形態のＣＤラックに任意のＣＤを収納する場合、ラック本体１の底板部１Ａ側のゴム板部材２の任意の挟持溝２ＡにＣＤの下縁部を押し込むと共に、この挟持溝２Ａに対応した背板部１Ｂ側のゴム板部材３の挟持溝３ＡにＣＤの後縁部を押し込む。すると、ＣＤはその下縁部が挟持溝２Ａに弾性的に挟持され、また、その後縁部が挟持溝３Ａに弾性的に挟持される。こうして任意のＣＤがＣＤラックに縦向きに保持されて収納される。このＣＤの収納作業は、片手で容易に行われる。
【００１８】
また、ＣＤラックから任意のＣＤを取り出す場合、そのＣＤの上側から前側にわたる周縁部を摘まんでＣＤをラック本体１から引き出す。こうすることで、任意のＣＤがＣＤラックから取り出される。このＣＤの取出し作業は、片手で容易に行われる。
【００１９】
本発明のＣＤラックは、前述した一実施形態に限定されるものではない。例えば、ゴム板部材２に形成される挟持溝２Ａおよびゴム板部材３に形成される挟持溝３Ａの断面形状は、図３〜図５に示すような断面形状に変更可能である。すなわち挟持溝２Ａ（３Ａ）の断面形状は、図３に示すようにＶ字形の片側が垂直なクサビ形としてもよい。また、図４に示すようにＶ字形の底部にＩ形の溝が連続する概略Ｙ字形としてもよい。さらに、図５に示すようにＶ字形の底部にＵ形の溝が連続する概略Ｕ字形としてもよい。
【００２０】
また、図６に示すように、肉厚に形成されたラック本体１の底板部１Ａの上面および背板部１Ｂの前面に前記挟持溝２Ａ（３Ａ）に代わるＶ字形などの挟持溝１Ｄを形成してもよい。この場合、挟持溝１Ｄの内面には、ＣＤを弾性的に挟持するための薄いゴム板４が接着される。
【００２１】
本発明のＣＤラックは、図７に示すように、ラック本体１の底板部１Ａと背板部１Ｂとが正面視において右側に位置する側板部１Ｅによって一体に連結された構造、すなわち、図１に示したＣＤラックと左右対称に構成してもよい。
【００２２】
前記挟持溝は、ゴム板部材に形成したものに限らず、１つの挟持溝は独立した各ゴムブロックにそれぞれ形成し、これらのゴムブロックを所定の間隔を明けて、または間隔を明けないで連続して底板部１Ａ及び背板部１Ｂに接着する構成としてもよい。
【図面の簡単な説明】
【００２３】
【図１】本発明の一実施形態に係るＣＤラックの構造を示す斜視図である。
【図２】図１に示したＣＤラックの正面図である。
【図３】図１に示した挟持溝の断面形状の第１変形例を示すゴム板部材の部分断面図である。
【図４】図１に示した挟持溝の断面形状の第２変形例を示すゴム板部材の部分断面図である。
【図５】図１に示した挟持溝の断面形状の第３変形例を示すゴム板部材の部分断面図である。
【図６】図１に示した挟持溝に代わる挟持溝が形成された底板部（背板部）の部分断面図である。
【図７】図１に示したＣＤラックと左右対称に構成された他の実施形態に係るＣＤラックの斜視図である。
【符号の説明】
【００２４】
１    ラック本体
１Ａ  底板部
１Ｂ  背板部
１Ｃ  側板部
１Ｄ  挟持溝
２    ゴム板部材
２Ａ  挟持溝
３    ゴム板部材
３Ａ  挟持溝
４    ゴム板
【図１】
2005046505.tif 000003
【図２】
2005046505.tif 000004
【図３】
2005046505.tif 000005
【図４】
2005046505.tif 000006
【図５】
2005046505.tif 000007
【図６】
2005046505.tif 000008
【図７】
2005046505.tif 000009